(57)【特許請求の範囲】
【請求項１】
金属基板と、該金属基板の表面が露出している一方の主面に少なくとも１つの半導体チップが導電的に固着され、前記主面の前記半導体チップが固着されていない領域に第１の絶縁樹脂層が設けられ、前記主面上に第１絶縁樹脂層を介して選択的に設けられた配線金属層上に受動素子又は能動素子が導電的に固着され、前記金属基板の主面に対向する他方の主面に第２絶縁樹脂層が設けられ、前記半導体チップとリードとが電気的に接続され、前記金属基板の半導体チップ固定部側の主面及び側面部がモールド樹脂で封止されてなることを特徴とする半導体装置。
【請求項２】
金属基板と、該金属基板の表面が露出している一方の主面に少なくとも１つの半導体チップが導電的に固着され、前記主面の前記半導体チップが固着されていない領域に第１の絶縁樹脂層が設けられ、前記主面上に第１絶縁樹脂層を介して選択的に設けられた配線金属層上に受動素子又は能動素子が導電的に固着され、前記金属基板の主面に対向する他方の主面に第２絶縁樹脂層が設けられ、前記半導体チップとリードとが電気的に接続され、前記金属基板の半導体チップ固定部側の主面がモールド樹脂で封止され、前記金属基板の半導体チップ固定部側の主面及び側面部が樹脂ケースで封止されてなることを特徴とする半導体装置。
【請求項３】
前記金属基板の半導体チップ固定部側の主面に前記第１絶縁樹脂層を介して配線層が選択的に設けられ、前記金属基板の前記配線層が設けられていない領域に第１絶縁樹脂層が形成されてなることを特徴とする請求項１または２に記載される半導体装置。
【請求項４】
金属基板の一方の主面の半導体チップが固着されない領域に第１の絶縁樹脂層を形成する工程と、前記金属基板の一方の主面に対向する他方の主面に第２絶縁樹脂層を形成する工程と、該金属基板の表面が露出している一方の主面に少なくとも１つの半導体チップを導電的に固着する工程と、前記主面上に第１絶縁樹脂層を介して選択的に配線金属層を形成する工程と、前記配線金属層上に受動素子又は能動素子を導電的に固着する工程と、前記半導体チップとリードとを電気的に接続する工程と、前記金属基板の半導体チップ固定部側の主面及び側面部をモールド樹脂で封止する工程を備えてなることを特徴とする半導体装置の製造方法。
【請求項５】
金属基板の一方の主面の半導体チップが固着されない領域に第１の絶縁樹脂層を形成する工程と、前記金属基板の一方の主面に対向する他方の主面に第２絶縁樹脂層を形成する工程と、該金属基板の表面が露出している一方の主面に少なくとも１つの半導体チップを導電的に固着する工程と、前記主面上に第１絶縁樹脂層を介して選択的に配線金属層を形成する工程と、前記配線金属層上に受動素子又は能動素子を導電的に固着する工程と、前記半導体チップとリードとを電気的に接続する工程と、前記金属基板の半導体チップ固定部側の主面がモールド樹脂で封止する工程と、前記金属基板の半導体チップ固定部側の主面及び側面部が樹脂ケースで封止する工程を備えてなることを特徴とする半導体装置の製造方法。
【発明の詳細な説明】
【０００１】
【産業上の利用分野】
本発明は、実装時の絶縁性がよく、かつ、放熱性のよい半導体装置及びその製造方法に関し、特に、電子機器等の電源装置に使用される半導体装置及びその製造方法に適用して有効な技術に関するものである。
【０００２】
【従来の技術】
従来、例えば、特開平３−３６７５３号公報に記載されるように、半導体素子と、この半導体素子を搭載する回路パターン形成固着されたプリント配線板と、このプリント配線板の回路パターンの端部に接続されるリード端子とを備え、前記プリント配線板とリード端子の一部とが絶縁封止樹脂により樹脂封止され、前記プリント配線板の厚みが、放熱板の取り付け時に放熱板側の絶縁封止樹脂表面と半導体素子の搭載部との絶縁距離を確保できるよう設定し、放熱板を取り付けた際にモールド時のボイド、ピンホール等が生じても放熱板と半導体素子の搭載部との絶縁距離を確保しながら放熱することが可能な半導体装置が開示されている。
【０００３】
また、特開昭６３−２７３３２４号公報に記載されるように、放熱支持板上にパワートランジスタチップとモノリシックＩＣ基板とを固定し、樹脂で被覆した半導体装置が開示されている。
【０００４】
【発明が解決しようとする課題】
本発明者は、前記従来の技術を検討した結果、以下の問題点を見いだした。
【０００５】
モールド樹脂が絶縁層となるために、絶縁性のみを重視するのであれば、絶縁層の厚さは厚いほど良い。しかし、半導体素子（発熱素子）で発生した熱は、この絶縁層を通過して放散されるために、厚い樹脂層は放熱特性を悪化させることになる。従って、適度な絶縁性を保ちつつ、極力薄い絶縁層を形成することが必要である。
【０００６】
しかしながら、従来のモールド樹脂中には、熱伝導性を良くすること、熱膨張係数を下げること等の目的で、無機質のフィラー材が混入されている。このフィラー材は一般的には、平均粒径が５０μｍ程度、最大粒径が１５０μｍ程度となっている。そこで、絶縁樹脂層を薄くしようとすると、フィラー材によるレジンのつまりを発生しやすくなり、ボイドとなって絶縁特性を著しく悪化させる。
【０００７】
従って、前記特開平３−３６７５３号公報に記載される半導体装置では、半導体素子全体をモールド樹脂で包み込むフルモールド方式あるため、モールド樹脂を薄く形成することが難しく、半導体素子で発生した熱を効率良く放散することができなかった。すなわち、放熱板の取り付け時に、放熱板側の絶縁封止樹脂表面とプリント配線板（半導体素子基板）と絶縁距離（間隔）を絶縁性を確保しながら小さくすることができなかった。
【０００８】
本発明の目的は、熱放散性と絶縁性に優れた半導体装置及びその製造方法を提供することにある。
【０００９】
本発明の他の目的は、放熱板との絶縁層を発熱素子から離れた位置に設け、かつ、当該絶縁層を薄くすることが可能な半導体装置及びその製造方法を提供することにある。
【００１０】
本発明の前記ならびにその他の目的及び新規な特徴は、本明細書及び添付図面によって明らになるであろう。
【００１１】
【課題を解決するための手段】
本願において開示される発明のうち代表的なものの概略を簡単に説明すれば、以下のとおりである。
【００１２】
（１）金属基板と、該金属基板の表面が露出している一方の主面に少なくとも１つの半導体チップが導電的に固着され、前記主面の前記半導体チップが固着されていない領域に第１の絶縁樹脂層が設けられ、前記主面上に第１絶縁樹脂層を介して選択的に設けられた配線金属層上に受動素子又は能動素子が導電的に固着され、前記金属基板の主面に対向する他方の主面に第２絶縁樹脂層が設けられ、前記半導体チップとリードとが電気的に接続され、前記金属基板の半導体チップ固定部側の主面及び側面部がモールド樹脂で封止されてなる半導体装置である。
【００１３】
（２）金属基板と、該金属基板の表面が露出している一方の主面に少なくとも１つの半導体チップが導電的に固着され、前記主面の前記半導体チップが固着されていない領域に第１の絶縁樹脂層が設けられ、前記主面上に第１絶縁樹脂層を介して選択的に設けられた配線金属層上に受動素子又は能動素子が導電的に固着され、前記金属基板の主面に対向する他方の主面に第２絶縁樹脂層が設けられ、前記半導体チップとリードとが電気的に接続され、前記金属基板の半導体チップ固定部側の主面がモールド樹脂で封止され、前記金属基板の半導体チップ固定部側の主面及び側面部が樹脂ケースで封止されてなる半導体装置である。
【００１４】
（３）前記（１）または（２）に記載される半導体装置において、金属基板の半導体チップ固定部側の主面に前記第１絶縁樹脂層を介して配線層が選択的に設けられ、前記金属基板の前記配線層が設けられていない領域に第１絶縁樹脂層が形成されてなることを特徴とする。
【００１５】
（４）金属基板の一方の主面の半導体チップが固着されない領域に第１の絶縁樹脂層を形成する工程と、前記金属基板の一方の主面に対向する他方の主面に第２絶縁樹脂層を形成する工程と、該金属基板の表面が露出している一方の主面に少なくとも１つの半導体チップを導電的に固着する工程と、前記主面上に第１絶縁樹脂層を介して選択的に配線金属層を形成する工程と、前記配線金属層上に受動素子又は能動素子を導電的に固着する工程と、前記半導体チップとリードとを電気的に接続する工程と、前記金属基板の半導体チップ固定部側の主面及び側面部をモールド樹脂で封止する工程を備えてなる半導体装置の製造方法である。
【００１６】
（５）金属基板の一方の主面の半導体チップが固着されない領域に第１の絶縁樹脂層を形成する工程と、前記金属基板の一方の主面に対向する他方の主面に第２絶縁樹脂層を形成する工程と、該金属基板の表面が露出している一方の主面に少なくとも１つの半導体チップを導電的に固着する工程と、前記主面上に第１絶縁樹脂層を介して選択的に配線金属層を形成する工程と、前記配線金属層上に受動素子又は能動素子を導電的に固着する工程と、前記半導体チップとリードとを電気的に接続する工程と、前記金属基板の半導体チップ固定部側の主面がモールド樹脂で封止する工程と、前記金属基板の半導体チップ固定部側の主面及び側面部が樹脂ケースで封止する工程を備えてなる半導体装置の製造方法である。
【００２２】
【作用】
前述の手段によれば、半導体チップを金属基板に直接固定し、かつ、放熱板の第２絶縁樹脂層の表面と金属基板との間の絶縁距離（間隔）を絶縁性を確保しながら小さくすることにより、半導体チップで発生された熱が金属基板と薄い第２絶縁樹脂層を通って放熱板に伝導されるので、半導体装置の熱放散性と絶縁性を良好にすることができる。
【００２３】
また、前記第２絶縁樹脂層の上に金属層を設けることにより、第２絶縁樹脂層と放熱板との熱伝導をさらに良好にするので、半導体装置の熱放散性と絶縁性をさらに良好にすることができる。
【００２４】
また、金属基板の一方の主面の半導体チップが固着されない領域に第１の絶縁樹脂層を、及び前記金属基板の一方の主面に対向する他方の主面に第２絶縁樹脂層をあらかじめ形成した後、前記金属基板の表面が露出している一方の主面に少なくとも１つの半導体チップを導電的に固着し、前記半導体チップとリードとを電気的に接続し、前記金属基板の半導体チップ固定部側の主面及び側面部をモールド樹脂で封止するので、放熱板の取り付け時に、放熱板側の第２絶縁樹脂層の表面と金属基板との間の絶縁距離（間隔）を絶縁性を確保しながら小さくすることができる。これにより、熱放散性と絶縁性に優れた半導体装置を得ることができる。
【００２５】
【実施例】
以下、図面を参照して、本発明について実施例ともに詳細に説明する。
【００２６】
実施例を説明するための全図において、同一機能を有するものと同一符号を付け、その繰り返しの説明は省略する。
【００２７】
（実施例１）
図１は本発明の半導体装置の一実施例（実施例１）の封止樹脂の一部除去した状態の上から見た平面図、図２は図１のＡ−Ａ’線で切った断面図、図３は図１のＢ−Ｂ’線で切った断面図であり、１は金属基板（例えばアルミニウム（Ａｌ）からなる）、１０は回路基板、１１は金属基板１の一方の主面、１２はめっき層（例えばニッケルめっき層からなる）、１３は第１の絶縁樹脂層（例えばエポキシ系樹脂からなる）、１４は金属配線層（例えば銅配線層からなる）、１５は金属基板１の他方の主面、１６は第２の絶縁樹脂層（例えばエポキシ系樹脂からなる）、１８は半導体チップが搭載される領域、２０は半導体チップの電極を取り出す電極端子領域、３０は半導体チップ、３１ははんだ層（例えばＳｎ−５ｗｔ％Ｓｂからなる）、３４は金属ワイヤ（例えば、アルミニウム（Ａｌ）からなるワイヤ）、３５はモールド樹脂（封止樹脂：レジン）、３６ａ，３６ｂ，３６ｃはリード端子、５０は半導体装置を放熱板（ヒートシンク）に固定するための固定用穴である。
【００２８】
本実施例１の半導体装置は、図１乃至図３に示すように、回路基板１０の母材である金属基板１の一方の主面１１上には、エポキシ系絶縁樹脂からなる第１の絶縁樹脂層１３が設けられており、この第１の絶縁樹脂層１３上の領域１８及び領域２０に開口部があり、ここにめっき層１２が設けられ、めっき層１２上に第１絶縁樹脂層１３を介して金属配線層１４が選択的に設けられている。金属基板１の他方の主面１５上には、第２の絶縁樹脂層１６が主面１５のほぼ全面にわたり設けられている。前記第２の絶縁樹脂層１６の厚さは７０〜２００μｍであり、実用上７５μｍ程度が最も好ましい。
【００２９】
前記半導体チップ３０が第１の絶縁樹脂層１３上の領域１８に設けられているめっき層１２上にはんだ層３１で導電的に固着され、前記金属基板１の主面１１の前記半導体チップ３０が固着されていない領域に第１の絶縁樹脂層１３が設けられている。前記半導体チップ３０とリード端子３６ａのリードとがめっき層１２と金属基板１を介して電気的に接続され、前記金属基板１の半導体チップ３０の固定部側の主面１１及び側面部がモールド樹脂３５で封止されている。
【００３０】
前記回路基板１０は、具体的には、例えば、厚さ１．５ｍｍ、面積１４ｍｍ×１７ｍｍの金属基板１の一方の主面１１上に、厚さ５μｍのめっき層１２が設けられ、めっき層１２上に厚さ３５μｍの第１の絶縁樹脂層１３を介して厚さ４５μｍの金属配線層１４ｂ，１４ｃが選択的に設けらている。第１の絶縁樹脂層１３と金属配線層１４ｂ，１４ｃは、めっき層１２上の半導体チップ３０が搭載される領域１８と主電流端子が取り付けられる領域２０を避けて設けられている。
【００３１】
次に、本実施例１の半導体装置の製造方法について説明する。まず、金属基板１の一方の主面１１上には、第１の絶縁樹脂層１３を形成する。この第１の絶縁樹脂層１３上の領域１８及び領域２０に開口部を形成する。これらの開口部にめっき層１２を形成する。このめっき層１２上に第１絶縁樹脂層１３を介して金属配線層１４が選択的に形成する。
【００３２】
次に、金属基板１の一方の主面１１に対向する他方の主面１５に第２の絶縁樹脂層１６が主面１５のほぼ全面にわたり形成する。
【００３３】
次に、前記半導体チップ３０を第１の絶縁樹脂層１３上の領域１８に設けられているめっき層１２上にはんだ層３１で導電的に固着する。前記半導体チップ３０とリード端子３６ａのリードとを金属ワイヤ３４で電気的に接続し、前記金属基板１の半導体チップ３０の固定部側の主面１１及び側面部をモールド樹脂３５で封止して完了する。
【００３４】
回路基板１０は、主面１１上に例えばニッケルめっきを施してめっき層１２を形成し、めっき層１２及び金属基板１の主面１５上にエポキシ系樹脂ペーストを印刷塗布した後、金属（銅）箔を積層し、この積層体を加圧下で約１５０℃のもとで加熱して樹脂ペーストの硬化と金属基板（アルミニウム基板）１及び金属（銅）箔の一体化を施し、主面１１側の金属（銅）箔に選択化学エッチングを施して金属配線層（銅配線層）１４を形成する。
【００３５】
前記半導体チップ（例えば、ＭＯＳトランジスタ，５ｍｍ×５ｍｍ）３０は、回路基板１０上のめっき層１２上に例えばＳｎ−５ｗｔ％Ｓｂからなるはんだ層３１により導電的に直接固着されている。このはんだ付けは、回路基板１０上にマスク印刷法により、例えばＳｎ−５ｗｔ％Ｓｂはんだペーストを印刷した後、２８０℃に加熱して実施する。
【００３６】
前記第１の絶縁樹脂層１３上に選択形成された金属配線層（銅配線層）１４には、半導体チップ３０から超音波ボンディングによって直径５０μｍの金属ワイヤ（Ａｌワイヤ）３４が取り付けられるとともに、リード端子３６ｂ，３６ｃが前述と同様のはんだ付け（はんだ層：図示を省略）により取り付けられている。リード端子３６ｂと３６ｃは、それぞれＭＯＳトランジスタのソース及びゲートとなる。
【００３７】
また、めっき層１２上には、ドレイン端子３６ａも同様のはんだ付けにより取付けられる（はんだ層：図示を省略）。このようにして搭載された半導体チップ３０は、例えばエポキシ系モールド樹脂３５のトランスファモールド法により外気から遮断される。この際、金属基板（アルミニウム基板）１、第２の絶縁樹脂層１６で構成される側面部も同時にモールド樹脂３５により被覆され、外気から遮断される。
【００３８】
ここで、前記半導体チップ３０を接地電位から絶縁するための手段について詳細に検討する。
【００３９】
半導体チップ３０を接地電位から絶縁するためには、半導体チップ３０を封止した後に、（１）金属板１をの表面を酸化させる絶縁膜を形成する、（２）絶縁塗料を金属板１の表面に塗布する、（３）絶縁フィルムを金属板の表面に貼り付る等の方法が考えられる。
【００４０】
前記（１）の方法においては、絶縁膜の厚いものが形成できず、かつ、後の工程で簡単に傷がつきやく、絶縁不良をおこしやすい。
【００４１】
また、（２）の方法においては、絶縁塗料による塗布膜は、均一な膜厚を形成することが難しく、そして、塗布中に含まれているシンナー剤の蒸発過程でピンホールを発生しやすい。このため熱伝導性の悪化や絶縁不良をおこしやすいという問題がある。
【００４２】
また、（３）の方法では、絶縁フィルムは張り付けの過程でフィルムと金属板の間に空気を巻き込み、熱伝導を妨げる。これを防止するためには、絶縁フィルムの張り付け過程で、加熱しながらプレスを掛ることが必要であり、このことは組立の済んでいない半導体素子に大きな熱的、機械的ストレスを与えることになり、半導体素子の品質低下をもたらすいう問題がある。
【００４３】
しかしながら、本発明の方法によれば、金属基板１に欠陥のない絶縁樹脂フィルからなる第２の絶縁樹脂層１６を接着する際には、半導体チップ（発熱素子）３０は搭載されていないので、熱的ストレス及び機械的ストレスは、半導体素子基板３０に与えることがない。また、第２の絶縁樹脂層１６は無欠陥の絶縁樹脂フィルからなっているので、絶縁不良をおこすことがない。また、第２の絶縁樹脂層１６の厚さは、モールド樹脂で形成する場合より更に薄いものが選択可能であり、放熱特性をより良好なものとすることができる。これにより、前述した問題点を解決し、半導体チップ３０に悪い影響を与えることなく、高放熱性で高絶縁性の半導体装置を得ることができる。
【００４４】
すなわち、金属基板１の一方の主面１１に対向する他方の主面１５にあらかじめ欠陥のない絶縁樹脂フィルからなる第２の絶縁樹脂層１６を設けることにより、放熱板４０（図１８）の取り付け時に、放熱板４０（図１８）側の第２絶縁樹脂層１６の表面と金属基板１との間の絶縁距離（間隔）を絶縁性を確保しながら小さくすることができるので、放熱板４０（図１８）との第２の絶縁樹脂層１６を半導体チップ（発熱素子）３０から離れた位置に設け、かつ、第２の絶縁樹脂層１６を薄くすることができるので、熱放散性と絶縁性に優れた半導体装置を得ることができる。
【００４５】
（実施例２）
図４は本発明の半導体装置の他の実施例（実施例２）の封止樹脂の一部を除去した状態の上から見た平面図、図５は図４のＡ−Ａ’線で切った断面図、図６は図４のＢ−Ｂ’線で切った断面図であり、１７は銅（Ｃｕ）からなる金属層である。
【００４６】
本実施例２の半導体装置は、図４乃至図６に示すように、前記実施例１の第２絶縁樹脂層１６の放熱板４０（図１８）側の表面に銅（Ｃｕ）からなる金属層１７を設けて、第２絶縁樹脂層１６と放熱板４０（図１８）間の熱伝導をさらに良くしたものである。
【００４７】
（実施例３）
図７は本発明の半導体装置の他の実施例（実施例３）の封止樹脂の一部を除去した状態の上から見た平面図、図８は図７のＡ−Ａ’線で切った断面図、図９は図７のＢ−Ｂ’線で切った断面図であり、１９は第１の絶縁樹脂層１３上の受動素子又は能動素子を搭載する領域、３２は受動素子又は能動素子である。
【００４８】
本実施例３の半導体装置は、前記実施例１の半導体装置の発熱素子として半導体チップもしくは半導体装置及びそれを制御するための回路を搭載したものである。
【００４９】
本実施例３における半導体チップもしくは半導体装置及びそれを制御するための回路を搭載するための回路基板１０について説明する。
【００５０】
本実施例３の回路基板１０は、図８乃至図９に示すように、厚さ１．５ｍｍ、面積２０ｍｍ×２５ｍｍのアルミニウム基板１の一方の主面１１上に、厚さ５μｍのめっき層（ニッケルめっき層）１２が形成され、めっき層１２上に厚さ８０μｍのエポキシ系樹脂からなる第１の絶縁樹脂層１３を介して厚さ３５μｍの金属（配線層（銅配線層）１４が選択的に形成されている。
【００５１】
前記回路基板１０は、前記主面１１上に、例えば、ニッケルめっきを施してめっき層１２を形成し、めっき層１２及び主面１５上にエポキシ系樹脂ペーストを印刷塗布した後、銅箔を積層し、この積層体を加圧下で約１５０℃のもとで加熱して樹脂ペーストの硬化とアルミニウムからなる金属基板１及び銅箔の一体化を施し、主面１１側の銅箔に選択化学エッチングを施して銅配線層１４を形成したものである。
【００５２】
次に、この回路基板１０を用いて、半導体装置を作製する。半導体素子基体（例えばＭＯＳトランジスタ，５ｍｍ×５ｍｍ）３０は、めっき層１２上にＳｎ−５ｗｔ％Ｓｂからなるはんだ層３１により導電的に直接固着されている。このはんだ付けは、回路基板１０上にマスク印刷法によりＳｎ−５ｗｔ％Ｓｂからなるはんだペーストを印刷した後、２８０℃に加熱して実施する。
【００５３】
絶縁樹脂層１３上に選択形成された銅配線層１４には、受動素子（抵抗及びコンデンサ）及びＭＰＡＫトランジスタ３２がはんだ層３１と同材質の印刷ペーストを用いるとともに同様の熱処理を施してはんだ付け（図示を省略）する。
【００５４】
次いで、半導体素子基体３０と銅配線層１４の間に、直径５０μｍのアルミニウム（Ａｌ）ワイヤからなる金属ワイヤ３４による超音波ボンディングを施し、電気結線を行う。
【００５５】
また、銅配線層からなる金属配線１４には主として信号を扱う端子３６ｂ及び３６ｃが設けられ、そして、めっき層１２上には主電流を扱うドレイン端子３６ａが、はんだ層３１と同材質の印刷ペーストを用いるとともに同様の熱処理を施して取り付けられる（はんだ層：図示を省略）。
【００５６】
このようにして搭載された半導体チップ３０、受動素子（抵抗及びコンデンサ）及びＭＰＡＫトランジスタ３２は、エポキシ系モールド樹脂３５のトランスファモールド法により外気から遮断される。この際、金属基板１、絶縁樹脂層１６、及び金属層１７で構成される側面部も同時にモールド樹脂３５により被覆され、外気から遮断される。
【００５７】
アルミニウム基板１の他方の主面１５上には、厚さ８０μｍのエポキシ系樹脂からなる第２の層絶縁樹脂層１６を介して銅からなる厚さ３５μｍの金属層１７が主面１５のほぼ全面にわたり形成されている。
【００５８】
（実施例４）
図１０は本発明の半導体装置の他の実施例（実施例４）の封止樹脂の一部を除去した状態の上から見た平面図、図１１は図１０のＡ−Ａ’線で切った断面図、図１２は図１０のＢ−Ｂ’線で切った断面図であり、１７は金属層である。
【００５９】
本実施例４の半導体装置は、図１０乃至図１２に示すように、前記実施例３の第２絶縁樹脂層１６の放熱板４０（図１８）側の表面に金属層１７を設けて、第２絶縁樹脂層１６と放熱板４０（図１８）間の熱伝導をさらに良くしたものである。
【００６０】
（実施例５）
本発明の実施例５は、前記実施例１において、改良された絶縁構造を有する回路基板を用いた半導体装置である。
【００６１】
図１３は本発明の実施例５の半導体装置の絶縁構造を説明するための要部断面図である。本実施例５の半導体装置の絶縁構造は、図１３に示すように、アルミニウムからなる金属基板１の他方の主面１５側の端部は、曲面構造（丸みを帯びた構造）になっており、絶縁樹脂層１６もこれに追随して曲面構造（丸みを帯びた構造）になっている。
【００６２】
前記金属層１７は銅（Ｃｕ）からなり、絶縁樹脂層１６の端部までは延長されておらず、絶縁樹脂層１６より内周部に形成されている。このような形態は、金属層１７を選択エッチングした後、アルミニウムからなる金属基板１を打ち抜くことによって形成される。金属基板１、絶縁樹脂層１６、金属層１７で構成される側面部はモールド樹脂３５により被覆されている。
【００６３】
この際、金属基板１と金属層１７の間には、大きな絶縁距離を設けることが可能である。アルミニウムからなる金属基板１と金属層１７の間の絶縁耐圧を確認したところ、本実施例５の半導体装置の場合は試料数１００個中９８個が１５００Ｖ（実効値）以上を示した。これは、前記実施例１の半導体装置の場合の、１５００Ｖ（実効値）以上を示す割合（試料数１００個中５２個）に比べ、大幅な絶縁耐力の向上を示すものである。
【００６４】
本発明において、主絶縁部の構造は上述までの内容にのみ限定されるものではない。例えば、図１４に示すように、絶縁樹脂層１６や金属層１７が順次内周領域に形成された場合、そして、図１４に示すようにモールド樹脂３５を延長して金属層１７にも被覆した場合でもよい。
【００６５】
前記本実施例１乃至５において、はんだ層３１の材料は、上述した材質のものに限定されない。例えば、Ｐｂ−５ｗｔ％Ｓｎ−１．５ｗｔ％Ａｇ、Ｐｂ−６０ｗｔ％Ｓｎ、Ａｕ−２０ｗｔ％Ｓｎ、Ａｕ−１２ｗｔ％Ｇｅ等によってもよい。この際、ペースト状の素材である必要はなく、例えば、シート状の材料を被接着物間に介装して熱処理してもよい。
【００６６】
また、半導体チップ３０を配線する金属ワイヤ３４はアルミニウム（Ａｌ）である必要はなく、例えば、Ａｕワイヤ、Ｎｉワイヤの如きものであってもよい。
【００６７】
（実施例６）
図１５は本発明の半導体装置の他の実施例（実施例６）の封止樹脂の一部を除去した状態の上から見た平面図、図１６は図１５のＡ−Ａ’線で切った断面図、図１７は図１５のＢ−Ｂ’線で切った断面図であり、１９は第１の絶縁樹脂層１３上の受動素子又は能動素子を搭載する領域、３２は受動素子チップ又は能動素子チップ、３７は樹脂ケースである。図１５では３２は受動素子チップ又は能動素子チップ３２は省略して図示していない。
【００６８】
本実施例６の半導体装置は、図１５乃至図１７に示すように、前記実施例１と同様に、金属基板１の表面が露出している一方の主面に１つの半導体チップ３０がはんだ層３１で導電的に固着され、前記主面の前記半導体チップ３０が固着されていない領域に第１の絶縁樹脂層１３が設けられ、前記主面上に第１絶縁樹脂層１３を介して選択的に設けられた配線金属層１４上に受動素子又は能動素子３２が導電的に固着され、前記金属基板１の主面に対向する他方の主面に第２絶縁樹脂層１６が設けられ、前記半導体チップ３０とリード端子３６ａ、３６ｂ及び３６ｃのそれぞれのリードとが電気的に接続され、前記金属基板１の主面１１の半導体チップ３０が搭載されている領域のみがモールド樹脂で封止され、前記金属基板１の半導体チップ固定部側の主面１１及び側面部が樹脂ケース３７で封止されてなる。
【００６９】
図１８は本発明の半導体装置をマザーボードに実装した一実施例の状態を示す斜視図であり、３８は本発明の半導体装置、３９は半導体装置と放熱板（ヒートシンク）とを固定するための固定用ねじ（ボルト）、４０は放熱板（ヒートシンク）、４１はマザーボードである。
【００７０】
本発明の半導体装置は、例えば、図１８に示すように、半導体装置３８と放熱板（ヒートシンク）４０とを固定してマザーボード４１に実装される。
【００７１】
以上、本発明を実施例に基づき具体的に説明したが、本発明は、前記実施例に限定されるものではなく、その要旨を逸脱しない範囲において種々変更し得ることはいうまでもない。
【００７２】
【発明の効果】
本願において開示される発明のうち代表的なものによって得られる効果を簡単に説明すれば、以下のとおりである。
【００７３】
（１）半導体チップを金属基板に直接固定し、かつ、放熱板の第２絶縁樹脂層の表面と金属基板との間の絶縁距離（間隔）を絶縁性を確保しながら小さくすることにより、半導体チップで発生された熱が金属基板と薄い第２絶縁樹脂層を通って放熱板に伝導されるので、半導体装置の熱放散性と絶縁性を良好にすることができる。
【００７４】
（２）前記第２絶縁樹脂層の上に金属層を設けることにより、第２絶縁樹脂層と放熱板との熱伝導をさらに良好にするので、半導体装置の熱放散性と絶縁性をさらに良好にすることができる。
【００７５】
（３）金属基板の一方の主面の半導体チップが固着されない領域に第１の絶縁樹脂層を、及び前記金属基板の一方の主面に対向する他方の主面に第２絶縁樹脂層をあらかじめ形成した後、前記金属基板の表面が露出している一方の主面に少なくとも１つの半導体チップを導電的に固着し、前記半導体チップとリードとを電気的に接続し、前記金属基板の半導体チップ固定部側の主面及び側面部をモールド樹脂で封止するので、放熱板の取り付け時に、放熱板側の第２絶縁樹脂層の表面と金属基板との間の絶縁距離（間隔）を絶縁性を確保しながら小さくすることができる。これにより、熱放散性と絶縁性に優れた半導体装置を得ることができる。
【図面の簡単な説明】
【図１】図１は本発明の半導体装置の一実施例（実施例１）の封止樹脂の一部除去した状態の上から見た平面図である
【図２】図１のＡ−Ａ’線で切った断面図である。
【図３】図１のＢ−Ｂ’線で切った断面図である。
【図４】本発明の半導体装置の他の実施例（実施例２）の封止樹脂の一部を除去した状態の上から見た平面図である。
【図５】図４のＡ−Ａ’線で切った断面図である。
【図６】図４のＢ−Ｂ’線で切った断面図である。
【図７】本発明の半導体装置の他の実施例（実施例３）の封止樹脂の一部を除去した状態の上から見た平面図である。
【図８】図７のＡ−Ａ’線で切った断面図である。
【図９】図７のＢ−Ｂ’線で切った断面図である。
【図１０】本発明の半導体装置の他の実施例（実施例４）の封止樹脂の一部を除去した状態の上から見た平面図である。
【図１１】図１０のＡ−Ａ’線で切った断面図である。
【図１２】図１０のＢ−Ｂ’線で切った断面図である。
【図１３】本発明の実施例５の半導体装置の絶縁構造の概略構成を示す要部断面図である。
【図１４】本実施例５の半導体装置の絶縁構造の変形例の概略構成を示す要部断面図である。
【図１５】本発明の半導体装置の他の実施例（実施例６）の封止樹脂の一部を除去した状態の上から見た平面図である。
【図１６】図１５のＡ−Ａ’線で切った断面図である。
【図１７】図１５のＢ−Ｂ’線で切った断面図である。
【図１８】本発明の半導体装置をマザーボードにの実装した一実施例の状態を示す斜視図である。
【符号の説明】
１…金属基板、１０…回路基板、１１は金属基板の一方の主面、１２はめっき層、１３…第１絶縁樹脂層、１４…配線金属層、１６…第２絶縁樹脂層、
１７…金属層、１８…半導体チップが搭載される領域、１９…受動素子もしくは能動素子が搭載される領域、２０…リード端子が搭載される領域、３０…半導体チップ、３１…はんだ層、３２…受動素子もしくは能動素子、３４…金属ワイヤ、３５…モールド樹脂、３６ａ，３６ｂ，３６ｃ…リード端子、３７…樹脂ケース、３８…半導体装置、３９…固定用ねじ（ボルト）、４０…放熱板（ヒートシンク）、４１…マザーボード、１００…放熱板（ヒートシンク）。
【図１】
0003544757.tif 000002
【図２】
0003544757.tif 000003
【図３】
0003544757.tif 000004
【図４】
0003544757.tif 000005
【図５】
0003544757.tif 000006
【図６】
0003544757.tif 000007
【図７】
0003544757.tif 000008
【図８】
0003544757.tif 000009
【図９】
0003544757.tif 000010
【図１０】
0003544757.tif 000011
【図１１】
0003544757.tif 000012
【図１２】
0003544757.tif 000013
【図１３】
0003544757.tif 000014
【図１４】
0003544757.tif 000015
【図１５】
0003544757.tif 000016
【図１６】
0003544757.tif 000017
【図１７】
0003544757.tif 000018
【図１８】
0003544757.tif 000019